(57)【要約】【課題】  各ユーザがそれぞれ所有する画像ファイルを使用した印刷物を簡単に作成することができる印刷物提供方法、印刷物提供プログラム及び印刷物提供システムを提供すること。【解決手段】  管理システム１は、複数のユーザからなるグループに関するグループ情報を記憶するグループ情報記憶部１０と、ユーザ端末３にネットワークＮを介して接続された管理コンピュータ２とを備えている。管理コンピュータ２は、各ユーザ端末３に通知を送信し、通知に応じて各ユーザ端末３から送信された画像ファイルを画像ファイル記憶部１２に記憶する。また、管理コンピュータ２は、終了通知を管理ユーザが使用するユーザ端末３ａに送信する。さらに、管理コンピュータ２は、ユーザ端末３ａから送信された編集命令に従って、印刷用データを作成し、プリンタ５に印刷用データに基づいて印刷を実行させる。【選択図】      図１
2005216103.tif 000002
【特許請求の範囲】
【請求項１】
複数のユーザからなるグループに関するグループ情報を記憶するグループ情報記憶部と、各ユーザが使用するユーザ端末にネットワークを介して接続された管理コンピュータとを利用して、前記各ユーザが所有する画像ファイルを使用した印刷物を作成するための印刷物提供方法であって、
前記管理コンピュータが、
前記グループ情報記憶部に記憶された前記グループ情報に基づいて、前記各ユーザ端末に対して画像ファイルの送信を促す通知を送信する段階と、
前記各ユーザ端末から送信された画像ファイルを画像ファイル記憶部に記憶する段階と、
前記各画像ファイルの収集が終了した通知を、前記各ユーザのうち少なくとも一人のユーザが使用するユーザ端末に送信する段階と、
前記各ユーザのうち少なくとも一人のユーザが使用するユーザ端末から送信された編集命令に従って、前記各画像ファイルを用いて、印刷用データを作成する段階と、
前記管理コンピュータに接続された印刷装置に対し、前記印刷用データを送信し、前記印刷用データに基づいて印刷を実行させる段階と
を備えたことを特徴とする印刷物提供方法。
【請求項２】
請求項１に記載の印刷物提供方法において、
前記管理コンピュータが、
前記印刷用データが作成された後、前記各ユーザ端末に、前記印刷用データを確認させるための通知を送信する段階と、
前記印刷用データの確認を完了したユーザが使用する前記ユーザ端末から、確認通知を受信する段階とを更に備え、
前記管理コンピュータが前記印刷装置に前記印刷用データに基づいて印刷を実行させる段階は、前記確認通知を受信した場合に、前記印刷装置に印刷を実行させることを特徴とする印刷物提供方法。
【請求項３】
請求項１又は２に記載の印刷物提供方法において、
前記管理コンピュータが、前記印刷用データを作成する段階は、テンプレートデータと前記各画像ファイルとを使用して作成することを特徴とする印刷物提供方法。
【請求項４】
請求項１〜３のいずれか一つに記載の印刷物提供方法において、
前記管理コンピュータが、前記各ユーザに対して、前記印刷物の作成料金の負担金を計算し、前記負担金の支払に関する料金情報を前記各ユーザ端末に送信する段階を更に備えたことを特徴とする印刷物提供方法。
【請求項５】
請求項１〜４のいずれか一つに記載の印刷物提供方法において、
前記管理コンピュータが、前記各ユーザ端末から、前記各ユーザに割り当てられた前記印刷物の作成料金の負担金に関する支払情報を受信し、前記各ユーザに関するユーザ情報を記憶したユーザ情報記憶部にそれぞれ記憶する段階を更に備えたことを特徴とする印刷物提供方法。
【請求項６】
請求項１〜５のいずれか一つに記載の印刷物提供方法において、
前記管理コンピュータが、前記印刷物の送り先の住所及び受取人氏名に関する属性情報に基づいて前記印刷装置に印刷を実行させる段階を更に備えたことを特徴とする印刷物提供方法。
【請求項７】
請求項１〜６のいずれか一つに記載の印刷物提供方法において、
前記管理コンピュータは、前記印刷装置にネットワークを介して接続されていることを特徴とする印刷物提供方法。
【請求項８】
複数のユーザからなるグループに関するグループ情報を記憶するグループ情報記憶部と、各ユーザが使用するユーザ端末にネットワークを介して接続された管理コンピュータとを利用して、前記各ユーザが所有する画像ファイルを使用した印刷物を作成するための印刷物提供プログラムであって、
前記管理コンピュータを、
前記グループ情報記憶部に記憶された前記グループ情報に基づいて、前記各ユーザ端末に対して画像ファイルの送信を促す通知を送信する手段、
前記各ユーザ端末から送信された画像ファイルを画像ファイル記憶部に記憶する手段、
前記各画像ファイルの収集が終了した通知を、前記各ユーザのうち少なくとも一人のユーザが使用するユーザ端末に送信する手段、
前記各ユーザのうち少なくとも一人のユーザが使用するユーザ端末から送信された編集命令に従って、前記各画像ファイルを用いて、印刷用データを作成する手段、
前記管理コンピュータに接続された印刷装置に、前記印刷用データを送信し、前記印刷用データに基づいて印刷を実行させる手段
として機能させることを特徴とする印刷物提供プログラム。
【請求項９】
複数のユーザからなるグループに関するグループ情報を記憶するグループ情報記憶部と、各ユーザが使用するユーザ端末にネットワークを介して接続された管理コンピュータとを備え、前記各ユーザが所有する画像ファイルを使用した印刷物を作成するための印刷物提供システムであって、
前記管理コンピュータが、
前記グループ情報記憶部に記憶された前記グループ情報に基づいて、前記各ユーザ端末に対して画像ファイルの送信を促す通知を送信する第１の送信手段と、
前記各ユーザ端末から送信された画像ファイルを画像ファイル記憶部に記憶する受付手段と、
前記各画像ファイルの収集が終了した通知を、前記各ユーザのうち少なくとも一人のユーザが使用するユーザ端末に送信する第２の送信手段と、
前記各ユーザのうち少なくとも一人のユーザが使用するユーザ端末から送信された編集命令に従って、前記各画像ファイルを用いて、印刷用データを作成する作成手段と、
前記管理コンピュータに接続された印刷装置に、前記印刷用データを送信し、前記印刷用データに基づいて印刷を実行させる命令送信手段と
を備えたことを特徴とする印刷物提供システム。
【発明の詳細な説明】
【技術分野】
【０００１】
本発明は、印刷物提供方法、印刷物提供プログラム、及び印刷物提供システムに関する。
【背景技術】
【０００２】
最近、デジタルカメラ、スキャナ、パーソナルコンピュータ等の電子機器の普及により、ユーザがデジタルカメラ等を使用して作成した画像データ、又はスキャナ等により写真等を読み取って作成した画像データを、プリンタを用いて自ら印刷できるようになっている。また、ユーザは、コンピュータに記憶されたアプリケーションプログラムを利用して、その画像データを編集して印刷することもできる。しかし、この画像データの編集作業は、手間及び時間がかかる上、パソコン等の操作に不慣れな者には困難である。また、きれいな印刷物を得るためには、高価なアプリケーションプログラムや電子機器が必要となる場合がある。さらに、大判紙に印刷した印刷物を得るためには、業務用の大型プリンタが必要であるため、個人が大判紙に印刷を行うことは困難である。
【０００３】
これに対し、ユーザが送信した画像ファイルをサーバが預かる方法が提案されている（例えば、特許文献１参照。）。この方法では、画像ファイルを登録したユーザ以外のユーザも、端末を使用してサーバに接続することにより画像データを閲覧し、印刷できるようになっている。また、ユーザの注文に応じて、その画像ファイルを所望の大きさで印刷できるようになっている。
【特許文献１】特開２００３−２８９４１５号公報
【発明の開示】
【発明が解決しようとする課題】
【０００４】
ところで、例えば、旅行仲間で旅行をしたときに、各旅行仲間（各ユーザ）からデジタルカメラ等で撮影した写真（画像ファイル）を提供してもらい、その提供してもらった複数の写真（画像ファイル）を適宜選択し編集して１枚の記念用の印刷物を作成する場合がある。
【０００５】
このとき、各旅行仲間から提供してもらう画像ファイルを集める作業（工程）と、集められた画像ファイルを適宜選択して１枚の印刷物にするために編集する作業（工程）とが必要になる。さらに、編集を行った各画像ファイルを１枚の用紙に印刷した場合のプレビューを、各画像ファイルを提供してくれた各旅行仲間に送付し、最終印刷物として印刷することを確認してもらう作業（工程）が必要になる場合がある。
【０００６】
上記の場合、画像ファイルをサーバが預かる方法では、旅行仲間の中のリーダ（管理ユーザ）が、各旅行仲間に対し、所有する画像ファイルをサーバに記憶（登録）させるための通知を自ら行わなければならない。また、前記リーダは、画像ファイルが記憶された後、各旅行仲間がサーバに記憶させた画像ファイルの中から何枚かを選択し、それを使用して、前記印刷物を印刷するための画像データを作成しなければならない。さらに、リーダは、作成した画像データを、電子メール等を利用して各旅行仲間に閲覧させ、確認の返事を受取る必要がある場合がある。さらにまた、リーダは、印刷物作成にかかった負担料金を各旅行仲間から集めなければならない。従って、各旅行仲間（ユーザ）が所有する画像ファイルを使用した印刷物を作成する場合には、それらの画像ファイルを管理するリーダに手間がかかる。また、リーダが自ら画像ファイルの編集を行うので、きれいな印刷物を簡単に作成できない可能性がある。
【０００７】
本発明の目的は、各ユーザがそれぞれ所有する画像ファイルを使用した印刷物を簡単に作成することができる印刷物提供方法、印刷物提供プログラム及び印刷物提供システムを提供することにある。
【０００８】
また、本発明の別の目的は、各ユーザが所有する画像データを使用して、きれいな印刷物を簡単に作成することができる印刷物提供方法、印刷物提供プログラム及び印刷物提供システムを提供することにある。
【課題を解決するための手段】
【０００９】
本発明の印刷物提供方法は、複数のユーザからなるグループに関するグループ情報を記憶するグループ情報記憶部と、各ユーザが使用するユーザ端末にネットワークを介して接続された管理コンピュータとを利用して、前記各ユーザが所有する画像ファイルを使用した印刷物を作成するための印刷物提供方法であって、前記管理コンピュータが、前記グループ情報記憶部に記憶された前記グループ情報に基づいて、前記各ユーザ端末に対して画像ファイルの送信を促す通知を送信する段階と、前記各ユーザ端末から送信された画像ファイルを画像ファイル記憶部に記憶する段階と、前記各画像ファイルの収集が終了した通知を、前記各ユーザのうち少なくとも一人が使用するユーザ端末に送信する段階と、前記各ユーザのうち少なくとも一人のユーザが使用するユーザ端末から送信された編集命令に従って、前記各画像ファイルを用いて、印刷用データを作成する段階と、前記管理コンピュータに接続された印刷装置に、前記印刷用データを送信し、前記印刷用データに基づいて印刷を実行させる段階とを備えた。
【００１０】
これによれば、管理コンピュータにより、ユーザ端末に画像ファイルの送信を促す通知が送信される。また、管理コンピュータにより、各ユーザ端末から送信された画像ファイルは、画像ファイル記憶部に記憶される。さらに、管理コンピュータによって、各ユーザのうち少なくとも一人が使用する端末に画像ファイルの収集が終了した通知が送信される。さらにまた、各ユーザのうち少なくとも一人のユーザが使用するユーザ端末から送信された編集命令に従って、画像ファイルを用いて印刷用データが作成される。そして、管理コンピュータにより、印刷装置を使用して印刷用データに基づいて印刷が実行される。つまり、管理コンピュータが、各ユーザに対する画像ファイルの送信の催促及び収集の工程、画像ファイルを用いて印刷用データ作成工程の一部、印刷用データの印刷工程を、ユーザに替わって行うので、ユーザの手間を軽減することができる。このため、複数のユーザが所有する画像ファイルを使用した印刷物を簡単に作成することができる。
【００１１】
この印刷物提供方法において、前記管理コンピュータが、前記印刷用データが作成された後、前記各ユーザ端末に、前記印刷用データを確認させるための通知を送信する段階と、前記印刷用データの確認を完了したユーザが使用する前記ユーザ端末から、確認通知を受信する段階とを更に備え、前記管理コンピュータが前記印刷装置に前記印刷用データに基づいて印刷させる段階は、前記確認通知を受信した場合に、前記印刷装置に印刷を実行させる。
【００１２】
これによれば、管理コンピュータにより、前記印刷用データを確認させるための通知が各ユーザ端末に送信され、この通知に応じて確認を完了したユーザのユーザ端末から送信された確認通知が受信される。また、管理コンピュータにより、確認通知が受信された際に、印刷用データが印刷装置に送信される。このため、各ユーザが印刷用データを確認した後に、その印刷用データを印刷することができる。また、管理コンピュータにより、印刷用データを確認させるための通知の送信、確認通知の受信をユーザに替わって行うので、ユーザの手間を軽減することができる。
【００１３】
この印刷物提供方法において、前記管理コンピュータが、前記印刷用データを作成する
段階は、テンプレートデータと前記各画像ファイルとを使用して作成する。
これによれば、印刷用データの作成は、予め業者等によって作成されたテンプレートデータを用いて行われるので、簡単にきれいな印刷物を作成することができる。
【００１４】
この印刷物提供方法において、前記管理コンピュータが、前記各ユーザに対して、前記印刷物の作成料金の負担金を計算し、前記負担金の支払に関する料金情報を前記各ユーザ端末に送信する段階を更に備えた。
【００１５】
これによれば、管理コンピュータにより、各ユーザに対し印刷物の作成料金の負担金が計算され、各負担金の支払に関する料金情報が各ユーザ端末に送信される。このため、管理コンピュータは、印刷物の作成料金を各ユーザから収集する工程において、負担金の管理を行うユーザの手間を軽減することができる。
【００１６】
この印刷物提供方法において、前記管理コンピュータが、前記各ユーザ端末から、前記各ユーザに割り当てられた前記印刷物の作成料金の負担金に関する支払情報を受信し、前記各ユーザに関するユーザ情報を記憶したユーザ情報記憶部にそれぞれ記憶する段階を更に備えた。
【００１７】
これによれば、管理コンピュータが、各ユーザ端末から、各ユーザに割り当てられた印刷物の作成料金の負担金に関する支払情報を受信する。また、管理コンピュータが、受信した支払情報を各ユーザに対応するユーザ情報にそれぞれ記憶するようにした。このため、管理コンピュータは、印刷物の作成料金を各ユーザから収集する工程において、負担金の管理を行うユーザの手間を軽減することができる。
【００１８】
この印刷物提供方法において、前記管理コンピュータが、前記印刷物の送り先の住所及び受取人氏名に関する属性情報に基づいて前記印刷装置に印刷を実行させる段階を更に備えた。
【００１９】
これによれば、管理コンピュータにより、予め設定された送り先住所及び受取人氏名に関する属性情報が、印刷装置に送信され、印刷が実行される。このため、印刷物を配送するための伝票を作成することができる。
【００２０】
この印刷物提供方法において、前記管理コンピュータは、前記印刷装置にネットワークを介して接続されている。
これによれば、印刷装置は、管理コンピュータとネットワークを介して接続されているので、管理コンピュータ及び印刷装置をそれぞれ異なる場所に設置することができる。
【００２１】
本発明の印刷物提供プログラムは、複数のユーザからなるグループに関するグループ情報を記憶するグループ情報記憶部と、各ユーザが使用するユーザ端末にネットワークを介して接続された管理コンピュータとを利用して、前記各ユーザが所有する画像ファイルを使用した印刷物を作成するための印刷物提供プログラムであって、前記管理コンピュータを、前記グループ情報記憶部に記憶された前記グループ情報に基づいて、前記各ユーザ端末に対して画像ファイルの送信を促す通知を送信する手段、前記各ユーザ端末から送信された画像ファイルを画像ファイル記憶部に記憶する手段、前記各画像ファイルの収集が終了した通知を、前記各ユーザのうち少なくとも一人が使用するユーザ端末に送信する手段、前記各ユーザのうち少なくとも一人が使用するユーザ端末から送信された編集命令に従って、前記各画像ファイルを用いて、印刷用データを作成する手段、前記管理コンピュータに接続された印刷装置に、前記印刷用データを送信し、前記印刷用データに基づいて印刷を実行させる手段として機能させる。
【００２２】
これによれば、管理コンピュータにより、ユーザ端末に画像ファイルの送信を促す通知が送信される。また、管理コンピュータにより、各ユーザ端末から送信された画像ファイルは、画像ファイル記憶部に記憶される。さらに、管理コンピュータによって、各ユーザのうち少なくとも一人が使用する端末に画像ファイルの収集が終了した通知が送信される。さらにまた、各ユーザのうち少なくとも一人のユーザが使用するユーザ端末から送信された編集命令に従って、画像ファイルを用いて印刷用データが作成される。そして、管理コンピュータにより、印刷装置を使用して印刷用データに基づいて印刷が実行される。つまり、管理コンピュータが、各ユーザに対する画像ファイルの送信の催促及び収集の工程、画像ファイルを用いて印刷用データ作成工程の一部、印刷用データの印刷工程を、ユーザに替わって行うので、ユーザの手間を軽減することができる。このため、複数のユーザが所有する画像ファイルを使用した印刷物を簡単に作成することができる。
【００２３】
本発明の印刷物提供システムは、複数のユーザからなるグループに関するグループ情報を記憶するグループ情報記憶部と、各ユーザが使用するユーザ端末にネットワークを介して接続された管理コンピュータとを備え、前記各ユーザが所有する画像ファイルを使用した印刷物を作成するための印刷物提供システムであって、前記管理コンピュータが、前記グループ情報記憶部に記憶された前記グループ情報に基づいて、前記各ユーザ端末に対して画像ファイルの送信を促す通知を送信する第１の送信手段と、前記各ユーザ端末から送信された画像ファイルを画像ファイル記憶部に記憶する受付手段と、前記各画像ファイルの収集が終了した通知を、前記各ユーザのうち少なくとも一人が使用するユーザ端末に送信する第２の送信手段と、前記各ユーザのうち少なくとも一人が使用するユーザ端末から送信された編集命令に従って、前記各画像ファイルを用いて、印刷用データを作成する作成手段と、前記管理コンピュータに接続された印刷装置に、前記印刷用データを送信し、前記印刷用データに基づいて印刷を実行させる命令送信手段とを備えた。
【００２４】
これによれば、管理コンピュータに備えられる第１の送信手段により、ユーザ端末に画像ファイルの送信を促す通知が送信される。また、受付手段により、各ユーザ端末から送信された画像ファイルは、画像ファイル記憶部に記憶される。さらに、第２の送信手段により、各ユーザのうち少なくとも一人が使用する端末に画像ファイルの収集が終了した通知が送信される。さらにまた、作成手段により、各ユーザのうち少なくとも一人のユーザが使用するユーザ端末から送信された編集命令に従って、画像ファイルの編集が行われ、印刷用データが作成される。そして、命令送信手段により、印刷装置を使用して印刷用データに基づいて印刷が実行される。つまり、管理コンピュータが、各ユーザに対する画像ファイルの送信の催促及び収集の工程、画像ファイルの編集工程の一部、編集したデータの印刷工程を、ユーザに替わって行うので、ユーザの手間を軽減することができる。このため、複数のユーザが所有する画像ファイルを使用した印刷物を簡単に作成することができる。
【発明を実施するための最良の形態】
【００２５】
以下、本発明を具体化した一実施形態を図１〜図９に従って説明する。本実施形態では、印刷物提供方法、印刷物提供プログラム及び印刷物提供システムを、複数のユーザからなるグループが、各ユーザの所有する画像ファイルを使って印刷物を作成し、その印刷物を所望の送り先等に配送する印刷物作成サービスに具体化した場合について説明する。尚、本実施形態では、完成した印刷物は、グループに所属するユーザ以外の受取人が受け取るものとする。
【００２６】
図１に示すように、管理システム１は、ネットワークＮを介して、ユーザ端末としての管理ユーザ端末３ａ、ユーザ端末としての一般ユーザ端末３ｂ及び印刷用端末４に接続されている。管理システム１は、印刷物作成サービスを提供する業者が所有するシステムである。管理ユーザ端末３ａ及び一般ユーザ端末３ｂは、顧客としての管理ユーザ及び一般
ユーザがそれぞれ所有する端末である。管理ユーザは、本実施形態ではグループの中の一人であるが、一般ユーザは単数でも複数でもよい。また、管理ユーザ及び一般ユーザ、管理ユーザ端末３ａ及び一般ユーザ端末３ｂを特に区別しない場合には、それぞれ単なるユーザ、ユーザ端末３と言うものとする。印刷用端末４は、プリンタセンタＣに設置される端末であって、前記サービスを提供する業者又は印刷サービスを専ら営む業者等が所有する端末である。尚、ネットワークＮは、インターネット等である。
【００２７】
管理システム１は、第１の送信手段、受付手段、第２の送信手段、作成手段、及び命令送信手段としての管理コンピュータ２を備えている。管理コンピュータ２は、図示しないＣＰＵ等の制御部、ＲＡＭ及びＲＯＭ等の記憶部、及び通信手段等を備えている。この管理コンピュータ２は、前記記憶部に格納された印刷物提供プログラムとしての各種プログラムに従って、ユーザ端末３及び印刷用端末４と各種データの送受信を行う。
【００２８】
ユーザ端末３（管理ユーザ端末３ａ及び一般ユーザ端末３ｂ）は、例えば、パーソナルコンピュータ等であって、ＣＰＵ等の制御部、ＲＡＭ及びＲＯＭ等の記憶部、及び通信手段等（いずれも図示せず）を備えている。また、ユーザ端末３は、キーボードＫ、マウスＭ等の入力手段と、ディスプレイＤからなる表示手段とを備えている。さらに、ユーザ端末３の前記制御部及び前記通信手段は、デジタルカメラ、スキャナ等の外部装置Ｇ１，Ｇ２とデータを送受信可能となっている。このため、ユーザ端末３は、有線通信又は無線通信によって外部装置Ｇ１，Ｇ２から画像ファイル等を取得し、前記記憶部に一時格納することができる。
【００２９】
印刷用端末４は、ＣＰＵ等の制御部、ＲＡＭ及びＲＯＭ等の記憶部、及び通信手段等（いずれも図示せず）を備えている。また、印刷用端末４は、キーボードＫ、マウスＭ等の入力手段と、ディスプレイＤからなる表示手段とを備えている。さらに、印刷用端末４には、印刷装置としてのプリンタ５が接続されている。このプリンタ５は、例えば、インクジェット式プリンタ等であって、大判の印刷用紙に印刷可能なプリンタである。印刷用端末４は、前記記憶部に格納された画像ファイル等を印刷データに変換してプリンタ５に送信し、プリンタ５は印刷用端末４から送信された印刷データに基づいて印刷を行うようになっている。
【００３０】
次に、管理システム１に備えられる各記憶部について説明する。図１に示すように、管理システム１は、グループ情報記憶部１０、ユーザ情報記憶部１１、及び画像ファイル記憶部１２を備えている。図２に示すように、グループ情報記憶部１０には、グループごとにグループ情報１０ａがそれぞれ記憶されている。各グループ情報１０ａは、グループ識別子ａ１、登録期限ａ２、送り先住所ａ３、受取人氏名ａ４、及びユーザ識別子ａ５の各データから構成されている。グループ識別子ａ１は、グループごとに割り振られた識別子である。登録期限ａ２は、各ユーザが管理システム１に画像ファイルを登録する期限の日付を示すデータである。送り先住所ａ３は、作成した印刷物の配送先に関するデータである。受取人氏名ａ４は、作成した印刷物の受取人の氏名に関するデータである。ユーザ識別子ａ５は、グループを構成するユーザの識別子である。グループ情報１０ａには、グループを構成するユーザの人数と同数のユーザ識別子ａ５が記憶されている。
【００３１】
図３に示すように、ユーザ情報記憶部１１には、グループを構成する前記各ユーザに関するユーザ情報１１ａが、各ユーザごとに記憶されている。このユーザ情報１１ａは、ユーザ識別子ａ５、権限ｂ１、電子メールアドレスｂ２、登録状況ｂ３、確認状況ｂ４及び支払方法ｂ５の各データから構成されている。
【００３２】
ユーザ識別子ａ５は、各ユーザごとに割り振られる識別子であって、グループ情報１０ａのユーザ識別子ａ５のうち一つと対応している。権限ｂ１は、そのユーザに対して設定
された、管理システム１に対する権限を示す。この権限ｂ１には、「管理ユーザ」を示す識別子と、「一般ユーザ」を示す識別子がある。電子メールアドレスｂ２は、そのユーザの所有する電子メールのアドレスである。登録状況ｂ３は、ユーザが管理システム１に画像ファイルを登録したか否かに関するデータであって、例えば登録状況に応じて変更されるフラグである。確認状況ｂ４は、そのユーザが、編集された画像データを確認したか否かに関するデータであって、例えば確認状況に応じて変更されるフラグである。支払方法ｂ５は、印刷物の作成料金を支払う方法に関するデータである。
【００３３】
図４に示すように、画像ファイル記憶部１２には、画像ファイルｃ２ごとに、画像ファイル情報１２ａが記憶されている。画像ファイル情報１２ａは、登録番号ｃ１、画像ファイルｃ２、及びユーザ識別子ａ５の各データから構成されている。登録番号ｃ１は、画像ファイルｃ２が管理システム１に登録される際に画像ファイルｃ２ごとに割り振られる識別子である。画像ファイルｃ２は、管理ユーザ端末３ａ又は一般ユーザ端末３ｂから送信された画像ファイルである。ユーザ識別子ａ５は、その画像ファイルｃ２を送信したユーザの識別子であって、ユーザ情報記憶部１１のユーザ識別子ａ５のいずれかと対応している。
【００３４】
次に、管理システム１を利用した印刷物作成サービスについて、図５〜図９に従って説明する。管理コンピュータ２は、各ユーザが外部装置Ｇ１，Ｇ２を使って作成した画像ファイルｃ２を受信する前に、グループ登録処理及びユーザ登録処理を行う。
【００３５】
グループ登録処理及びユーザ登録処理の際には、管理ユーザ端末３ａは、管理ユーザの操作に従って、管理システム１に接続し、各登録処理の要求命令を送信する。この命令を受信した管理コンピュータ２は、管理ユーザ端末３ａのディスプレイＤに図示しない登録画面を表示させる。また、管理ユーザ端末３ａは、管理ユーザが登録画面に従って、キーボードＫ等を使用して入力した、グループ情報１０ａ及び各ユーザ情報１１ａを管理コンピュータ２に送信する。このとき、グループ情報１０ａには、グループ名（グループ識別子ａ１）、グループに属するユーザの識別子（ユーザ識別子ａ５）、登録期限ａ２、印刷物の送り先住所ａ３及び受取人氏名ａ４が含まれている。各ユーザ情報１１ａには、各ユーザの権限ｂ１、電子メールアドレスｂ２がそれぞれ含まれている。管理コンピュータ２は、グループ情報１０ａ及びユーザ情報１１ａを受信すると、グループ識別子ａ１及びユーザ識別子ａ５を付して、グループ情報記憶部１０及びユーザ情報記憶部１１にそれぞれ記憶する。このとき、管理コンピュータ２は、各ユーザ情報１１ａの登録状況ｂ３を「未登録」を示すデータ（フラグ）、確認状況ｂ４を「未確認」を示すデータ（フラグ）に設定する。
【００３６】
次に、管理コンピュータ２は、ファイル登録処理を行う。具体的には、管理コンピュータ２は、グループ情報１０ａが記憶されると、グループ情報１０ａ内のユーザ識別子ａ５と、ユーザ情報１１ａの電子メールアドレスｂ２に基づいて、各ユーザに電子メールを使用して、画像ファイルｃ２の送信を促す旨を通知する。このとき、管理コンピュータ２は、管理システム１が提供するサイトのＵＲＬ、登録期限ａ２等のデータも電子メールに含ませて送信する。
【００３７】
登録開始の通知を一般ユーザ端末３ｂを使用して受信した各一般ユーザは、その電子メールをディスプレイＤに表示させて確認する。一般ユーザは、この通知に従って、所有する外部装置Ｇ１，Ｇ２に記憶された画像ファイルｃ２を管理システム１に登録するためにファイル登録処理を行う。
【００３８】
このファイル登録処理について図５に従って説明する。一般ユーザは、一般ユーザ端末３ｂを使用して、管理コンピュータ２に接続する。その際、管理コンピュータ２は、ユー
ザの属するグループ及びユーザの識別子を確認するためのユーザ認証を行う。ユーザ認証が終了すると、管理コンピュータ２は、画像ファイルｃ２を入力するためのファイル入力画面（図示せず）を、一般ユーザ端末３ｂのディスプレイＤに表示する。一般ユーザ端末３ｂは、このファイル入力画面に従って一般ユーザが指定した画像ファイルｃ２を外部装置Ｇ１，Ｇ２から取得して、管理コンピュータ２に送信する（Ｓ１−１）。このとき、送信される画像ファイルｃ２は、単数でも複数でもよい。
【００３９】
管理コンピュータ２は、受信した各画像ファイルｃ２を画像ファイル記憶部１２に記憶する（Ｓ１−２）。このとき、管理コンピュータ２は、画像ファイルｃ２に登録番号ｃ１をそれぞれ割り振って、画像ファイル情報１２ａとして記憶する。また、管理コンピュータ２は、画像ファイルｃ２を送信したユーザに対応するユーザ情報１１ａ内の登録状況ｂ３を、「登録済み」を示すデータに変更する。このように、管理コンピュータ２は、各一般ユーザ端末３ｂから画像ファイルｃ２を受信すると、それらの画像ファイルｃ２を画像ファイル記憶部１２内に蓄積する。また、管理コンピュータ２は、一般ユーザ端末３ｂだけでなく、管理ユーザ端末３ａから受信した画像ファイルｃ２を画像ファイル記憶部１２に記憶してもよい。
【００４０】
また、管理コンピュータ２は、例えば、グループ情報１０ａ内の登録期限ａ２を毎日検索する。そして、管理コンピュータ２が、登録期限ａ２が経過したと判断した場合には、グループ情報１０ａ及びユーザ情報１１ａに基づいて、管理ユーザ端末３ａに登録完了通知を送信する（Ｓ１−３）。具体的には、管理コンピュータ２は、権限ｂ１が「管理ユーザ」であるユーザの電子メールアドレスｂ２を送信先として、電子メールを送信する。
【００４１】
管理ユーザは、管理ユーザ端末３ａを使用して登録完了通知を受信すると、編集処理を行う（Ｓ１−４）。具体的には、管理コンピュータ２は、管理ユーザの操作に従って、管理ユーザ端末３ａから接続要求を受信し、ユーザ端末３に対して前記ユーザ認証処理を行う。管理コンピュータ２は、ユーザ認証処理によってユーザ識別子ａ５を受信すると、受信したユーザ識別子ａ５に対応する権限ｂ１が、「管理ユーザ」を示すデータであるか否か判断する。そして、権限ｂ１が「管理ユーザ」である場合には、管理コンピュータ２は、画像ファイルの編集が可能である管理ユーザ用の画面をディスプレイＤに表示する。このとき権限ｂ１が「一般ユーザ」であった場合には、一般ユーザ用の画面を表示する。つまり、画像ファイルｃ２の編集は、管理ユーザしか行うことができない。
【００４２】
管理ユーザは、前記管理ユーザ用の画面に従って、各ユーザがそれぞれ登録した画像ファイルｃ２を使用して編集作業を行う。具体的には、管理コンピュータ２は、図示しない記憶部に記憶された各テンプレートを一覧画面（図示せず）として表示するためのデータを管理ユーザ端末３ａに送信する。管理ユーザは、テンプレート一覧画面から、所望のテンプレートを一つ選択し、そのテンプレート識別子を管理ユーザ端末３ａから管理コンピュータ２に送信する。管理コンピュータ２は、選択されたテンプレート識別子を受信すると、管理ユーザ端末３ａのディスプレイＤに、図８に示す、そのテンプレート識別子に対する編集用画面ＳＣ１を表示する。編集用画面ＳＣ１には、テンプレートＴが表示されている。このテンプレートＴを表示するためのテンプレートデータには、画像ファイルｃ２を関連付けるための画像領域Ｚ１が複数設けられている。さらに、テンプレートデータ内には、文字等を入力するための入力領域Ｚ２が設けられている。
【００４３】
管理ユーザが、このテンプレートＴの画像領域Ｚ１を、マウスＭ等を用いて選択すると、管理ユーザ端末３ａから画像表示命令が送信される。また、画像表示命令を受信した管理コンピュータ２は、管理ユーザ端末３ａに各種データを送信する。その結果、管理ユーザ端末３ａには図示しない画像選択画面が表示される。この画像選択画面には、ユーザによって登録された画像ファイルｃ２が画像となって多数表示されている。管理ユーザは、
前記画像領域Ｚ１に組込むための画像ファイルｃ２（画像）をその画像選択画面において選択する。すると、管理ユーザ端末３ａから、選択した画像ファイルｃ２の識別子と、編集命令とが送信される。管理コンピュータ２は、管理ユーザ端末３ａから送信された画像ファイルｃ２の識別子及び編集命令に応じて、画像領域Ｚ１にその画像ファイルｃ２を関連付けたテンプレートデータを作成し、管理ユーザ端末３ａに送信する。その結果、図８の編集用画面ＳＣ１内において、テンプレートＴの左上等の画像領域Ｚ１のように、画像領域Ｚ１内に画像Ｐが表示される。管理ユーザは、この操作を全ての画像領域Ｚ１に対して行い、さらに入力領域Ｚ２に文章等を入力する。そして、編集用画面ＳＣ１の下部に表示された完了選択部Ｓ２を選択すると、管理ユーザ端末３ａは管理コンピュータ２に編集作業の完了通知を送信する。
【００４４】
管理コンピュータ２は、完了通知を受信すると、各画像ファイルｃ２に関連付けられ編集された、印刷用データとしてのテンプレートデータを図示しない記憶部に一時保存する。また、管理コンピュータ２は、編集されたテンプレートデータを保存すると、各一般ユーザ端末３ｂに対し編集完了通知を送信する（Ｓ１−５）。具体的には、管理コンピュータ２は、権限ｂ１が「一般ユーザ」である各ユーザの電子メールアドレスｂ２を宛先として電子メールを送信する。
【００４５】
各一般ユーザは、編集完了通知を一般ユーザ端末３ｂを使用して確認し、管理コンピュータ２に接続する。管理コンピュータ２により、ユーザ認証処理が行われると、一般ユーザ端末３ｂは、一般ユーザの操作に従って、確認画面の表示命令を管理コンピュータ２に送信する。管理コンピュータ２は、その表示命令を受信すると、一般ユーザ端末３ｂのディスプレイＤに図９に示す確認画面ＳＣ２を表示させる。確認画面ＳＣ２には、画像Ｐ及びメッセージが表示された状態のテンプレートＴが、画像Ｔ１として表示されている。各一般ユーザは、管理ユーザによって編集された画像Ｔ１を確認する。そして、再編集する必要がない場合は、確認完了選択部Ｓ３を選択する。一般ユーザの操作によって確認完了選択部Ｓ３が選択されると、一般ユーザ端末３ｂは管理コンピュータ２に確認通知を送信する（Ｓ１−６）。
【００４６】
一方、一般ユーザが、管理ユーザによって編集された画像Ｔ１に対し、再編集を要求する場合には、一般ユーザは、確認画面ＳＣ２において修正依頼選択部Ｓ４を選択する。一般ユーザ端末３ｂは、修正依頼選択部Ｓ４が選択されると、管理コンピュータ２に修正通知を送信する。管理コンピュータ２は、修正通知を受信すると、修正箇所についての説明を入力するための画面を一般ユーザ端末３ｂのディスプレイＤに表示する。一般ユーザ端末３ｂは、ユーザによって説明が入力されると、管理コンピュータ２に対して、修正依頼通知を送信する。管理コンピュータ２は、その修正依頼通知を管理ユーザ端末３ａに送信する。管理ユーザは、その修正通知を管理ユーザ端末３ａを使用して確認すると、編集処理を行う。そして、管理ユーザ端末３ａ及び管理コンピュータ２により、上記編集処理等（Ｓ１−４〜Ｓ１−５）が繰り返される。
【００４７】
管理コンピュータ２は、確認通知を受信すると、ユーザ情報１１ａの確認状況ｂ４を「確認済み」を示すデータに変更する。そして、全てのユーザ情報１１ａの確認状況ｂ４が「確認済み」になると、管理コンピュータ２は、管理ユーザに対し確認完了通知を送信する（Ｓ１−７）。
【００４８】
管理ユーザは、管理ユーザ端末３ａを使用して確認完了通知を確認すると、管理コンピュータ２に接続する。そして、管理コンピュータ２がユーザ認証処理を行うと、管理ユーザ端末３ａは、管理ユーザの操作に従って印刷注文を送信する（Ｓ１−８）。具体的には、管理コンピュータ２によって管理ユーザ端末３ａのディスプレイＤに表示された印刷確認画面（図示せず）に従って、管理ユーザが印刷注文を送信する。
【００４９】
管理コンピュータ２は、印刷注文を受信すると、図示しない注文受付記憶部に、グループ識別子ａ１、送り先住所ａ３、完成したテンプレートデータ等を記憶して、注文を受付ける（Ｓ１−９）。
【００５０】
次に、編集されたテンプレートデータに基づいて、管理コンピュータ２及び印刷用端末４が印刷実行処理を行う。この印刷実行処理について、図６に従って説明する。管理コンピュータ２は、編集されたテンプレートデータ（以下、画像データとする。）及び属性情報を印刷用端末４に送信する（Ｓ２−１）。この属性情報には、グループ情報１０ａ内に記憶された送り先住所ａ３、受取人氏名ａ４が含まれる。
【００５１】
印刷用端末４は、画像データ及び属性情報を受信すると、それらのデータを図示しない記憶部に一時記憶する（Ｓ２−２）。また、印刷用端末４は、画像データに基づいて、プリンタ５を使用して印刷を行う（Ｓ２−３）。具体的には、印刷用端末４は、画像データを印刷データに変換し、その印刷データに印刷実効命令を付してプリンタ５に送信する。プリンタ５は、受信した印刷データに基づいて、印刷用紙に印刷を行う。また、印刷用端末４は、属性情報を印刷データに変換し、その印刷データに基づいてプリンタ５又は図示しない他のプリンタに印刷させる。これにより、プリンタ５は、送り先住所等を表示した伝票を作成する。印刷物と伝票とが作成されると、印刷物が、伝票に記載された受取人の住所まで配送される。
【００５２】
また、管理コンピュータ２は、印刷用端末４に画像データ等を送信すると、料金請求処理を行う。この料金請求処理について、図７に従って説明する。管理コンピュータ２は、予め設定された割合に基づいて、各ユーザの印刷物の作成料金の負担金を計算する。この割合は、各ユーザに対し均一に設定してもよい。また、前記割合は、各ユーザごとに異なるように設定してもよい。
【００５３】
管理コンピュータ２は、各ユーザの作成料金の負担金を計算すると、ユーザに対して負担する料金の金額に関するデータと、複数の支払方法に関するデータとからなる料金情報をユーザ端末３（一般ユーザ端末３ｂ及び管理ユーザ端末３ａ）に送信する（Ｓ３−１）。この支払方法に関するデータには、クレジット決済方法、銀行振込方法、所定の店舗での支払方法等、料金の支払方法に関する情報を含んでいる。
【００５４】
ユーザは、前記料金情報をユーザ端末３を使用してそれぞれ確認する。また、ユーザ端末３は、ユーザの操作に従って管理コンピュータ２に接続し、選択画面の表示命令を送信する。管理コンピュータ２は、その表示命令を受信すると、ユーザ端末３と各種データを送受信することによりユーザ認証処理を行い、支払方法の選択画面（図示せず）をユーザ端末３のディスプレイＤに表示する。この選択画面では、クレジット決済、銀行振込等の支払方法が選択できるようになっている。
【００５５】
さらに、ユーザ端末３は、ユーザの操作に従って、支払情報を管理コンピュータ２に送信する（Ｓ３−２）。この支払情報は、ユーザが、前記選択画面に従って選択した支払方法に関するデータである。例えば、ユーザが、クレジット決済を選択した場合には、支払情報は、クレジットカードの番号等、クレジット決済に必要なデータが含まれている。
【００５６】
管理コンピュータ２は、支払情報を受信すると、そのユーザのユーザ情報１１ａに支払方法ｂ５を記憶する（Ｓ３−３）。さらに、管理コンピュータ２は、支払方法ｂ５に応じて各種処理を行う。例えば、管理コンピュータ２は、支払方法ｂ５がクレジット決済であると判別した場合には、クレジット会社の所有するサーバと各種データを送受信してクレジット決済処理を行う。また、管理コンピュータ２は、支払方法ｂ５が銀行振込である場
合には、ユーザに口座番号等を通知するための各種処理を行う。
【００５７】
上記実施形態によれば、以下のような効果を得ることができる。
（１）上記実施形態では、管理コンピュータ２により、一般ユーザ端末３ｂに画像ファイルｃ２の送信を促すための電子メールを送信するようにした。また、管理コンピュータ２は、電子メールに応じて各一般ユーザ端末３ｂ（又は管理ユーザ端末３ａ）から送信された画像ファイルｃ２を画像ファイル記憶部１２に記憶するようにした。さらに、管理コンピュータ２は、登録期限ａ２に、管理ユーザ端末３ａに登録完了通知を送信するようにした。さらにまた、管理コンピュータ２は、管理ユーザ端末３ａから送信される編集命令に従って、画像データの作成を行うようにした。また、管理コンピュータ２は、画像ファイルｃ２を用いて作成された画像データに基づいてプリンタ５に印刷を実行させるようにした。つまり、管理コンピュータ２が、画像ファイルｃ２の送信の催促及び収集、画像ファイルｃ２を用いた画像データの作成、編集した画像データの印刷等の工程を、管理ユーザに替わって行うので、管理ユーザの手間を軽減することができる。このため、複数のユーザが所有する画像ファイルｃ２を使用した印刷物を簡単に作成することができる。
【００５８】
（２）上記実施形態では、管理コンピュータ２は、編集したテンプレートデータ（画像Ｔ１）を確認させるための編集完了通知を各一般ユーザ端末３ｂに送信するようにした。また、管理コンピュータ２は、この通知に応じて確認を完了した一般ユーザの一般ユーザ端末３ｂから確認通知を受信するようにした。さらに、管理コンピュータ２は、全てのユーザから確認通知を受信した際に、管理ユーザ端末３ａに確認完了通知を送信し、この通知を受信した管理ユーザ端末３ａから印刷注文を受付けるようにした。このため、各ユーザが編集された画像データ（画像Ｔ１）を確認した後に、その編集された画像データに基づいて印刷することができる。また、管理コンピュータ２が、編集された画像データを確認させるための通知の送受信を管理ユーザに替わって行うので、管理ユーザの手間を軽減することができる。
【００５９】
（３）上記実施形態では、管理コンピュータ２は、画像ファイルｃ２と、予め業者が作成したテンプレートデータとを使用して、印刷用のデータを作成するようにした。このため、簡単にきれいな印刷物を作成することができる。
【００６０】
（４）上記実施形態では、管理コンピュータ２は、各ユーザの印刷物の作成料金の負担金を計算するようにした。また、管理コンピュータ２は、負担金に関する情報を含む料金情報を各一般ユーザ端末３ｂ及び管理ユーザ端末３ａに送信するようにした。さらに、管理コンピュータ２は、各ユーザが選択した支払方法に関する支払情報を、各一般ユーザ端末３ｂ及び管理ユーザ端末３ａから受信して、料金の決済を行うための各種処理を行うようにした。このため、管理ユーザが、印刷物の作成料金を各ユーザから収集する必要がないので、管理ユーザの手間を軽減することができる。
【００６１】
（５）上記実施形態では、管理コンピュータ２は、送り先住所ａ３及び受取人氏名ａ４等の属性情報を印刷用端末４に送信するようにした。また、管理コンピュータ２は、印刷用端末４を介して、プリンタ５に属性情報を印刷させ、伝票を作成するようにした。このため、印刷物を所望の送り先に配送するための工程を管理コンピュータ２が代行することができるので、管理ユーザの手間を軽減することができる。
【００６２】
尚、本実施形態は以下のように変更してもよい。
・上記実施形態では、管理コンピュータ２が、登録期限ａ２になった際に管理ユーザに通知を送信するようにしたが、画像ファイル記憶部１２に記憶された画像ファイルｃ２の累積枚数が所定の枚数に到達したときに、管理ユーザ端末３ａに電子メールを送信してもよい。また、画像ファイルｃ２を所有する全てのユーザから、画像ファイルｃ２を受信し
たときに、管理コンピュータ２が管理ユーザ端末３ａに電子メールを送信するようにしてもよい。この場合、各ユーザ情報１１ａに、画像ファイルｃ２を所有しているか否かを識別する画像所有識別子を記憶し、そのユーザの画像ファイルｃ２が記憶された際に登録状況ｂ３を「登録済み」に変更する。そして、管理コンピュータ２が、画像所有識別子が「所有」になっているユーザ情報１１ａの登録状況ｂ３が全て「登録済み」になったときに、管理ユーザ端末３ａに電子メールを送信する。
【００６３】
・上記実施形態では、印刷用端末４及びプリンタ５により印刷物の配送先を記載した伝票を作成し、その伝票を使用して印刷物を送り先に配送するようにした。これ以外に、受取人が、印刷物をコンビニエンスストア等の店舗によって受け取るようにしてもよい。このとき、プリンタセンタＣで作成された印刷物は、前記店舗に送られる。
【００６４】
・上記実施形態では、印刷物は、各ユーザ（管理ユーザ又は一般ユーザ）が受け取るようにしてもよい。この場合、確認画面ＳＣ２において、印刷物の配送を希望するユーザの送り先住所及び受取人氏名を入力可能にする。また、管理コンピュータ２は、各ユーザから希望の送り先に関する情報をグループ情報記憶部１０又はユーザ情報記憶部１１に記憶する。または、管理ユーザの操作に従って、管理ユーザ端末３ａが、グループ登録処理又はユーザ登録処理を行う際に、各ユーザの送り先住所に関するデータを送信するようにしてもよい。
【００６５】
・上記実施形態では、プリンタ５は印刷用紙に印刷するプリンタとしたが、紙以外に印刷するようにしてもよい。また、管理コンピュータ２には、それぞれ異なる種類のプリンタ５が、ネットワークＮを介して複数台接続されるようにしてもよい。
【００６６】
・上記実施形態では、管理コンピュータ２が、各一般ユーザに対し、編集完了通知を送信して、画像Ｔ１の確認を促すようにした。また、管理コンピュータ２が、確認通知を全てのユーザから受信した際に、管理ユーザ端末３ａに対して確認完了通知を送信するようにした。これらの一般ユーザによる確認処理は、一般ユーザが確認する必要がない場合には省いてもよい。
【００６７】
・上記実施形態では、プリンタ５は、大判の印刷用紙に印刷可能なプリンタとしたが、Ａ４等の普通紙に印刷可能なプリンタでもよい。
・上記実施形態では、グループ登録処理及びユーザ登録処理は、管理ユーザ端末３ａから送信される各命令によって行われるようにしたが、他の一般ユーザ端末３ｂから送信される各命令によって行うようにしてもよい。また、グループ登録処理は管理ユーザの操作によって管理ユーザ端末３ａが行い、ユーザ登録処理は、各一般ユーザの操作に従って一般ユーザ端末３ｂの命令によって行われるようにしてもよい。
【００６８】
・上記実施形態では、管理コンピュータ２は、プリンタセンタＣに設置された印刷用端末４及びプリンタ５にネットワークＮを介して接続されるようにしたが、管理コンピュータ２は、ネットワークＮを介さずに直接プリンタ５又は印刷用端末４に接続されるようにしてもよい。また、管理コンピュータ２及びプリンタ５は、印刷用端末４を介して接続されるようにしたが、プリンタセンタＣの担当者が印刷用端末４を操作する必要ない場合等には、印刷用端末４を省略してもよい。
【００６９】
・上記実施形態では、ユーザ端末３は、パーソナルコンピュータとしたが、ネットワークＮを介して管理システム１と必要なデータを送受信可能であればよく、ＰＤＡ等の携帯可能な装置でもよい。
【００７０】
・上記実施形態では、ユーザ端末３は、外部装置Ｇ１，Ｇ２から画像ファイルｃ２を受
信するようにしたが、例えば撮影機能付の携帯電話等、ネットワークＮとの接続機能及び撮影機能を備えるようにしてもよい。この場合、ユーザ端末３は、外部装置Ｇ１，Ｇ２の機能を兼ねるので、外部装置Ｇ１，Ｇ２は省略される。
【００７１】
・上記実施形態では、管理コンピュータ２は、画像ファイルｃ２の送信を促すための通知を送信してから所定期間が過ぎても画像ファイルｃ２を受信しない場合には、再度通知を送信するようにしてもよい。
【００７２】
・上記実施形態では、管理コンピュータ２がプリンタセンタＣに設置された印刷用端末４に画像データを送信する際、プリンタセンタＣが複数存在する場合には、送り先住所ａ３に近いプリンタセンタＣを選択するようにしてもよい。この場合、管理コンピュータ２は、各プリンタセンタＣが担当する区域に関するデータを記憶した記憶部に接続され、送り先住所ａ３とプリンタセンタＣの担当区域とを比較する。さらに、管理コンピュータ２は、送り先住所ａ３が含まれる区域を担当するプリンタセンタＣの印刷用端末４に印刷用データを送信する。このようにすると、配送時間及び配送料金を縮小することができ、よりユーザの要望に添うサービスを提供することができる。
【００７３】
・上記実施形態では、管理ユーザはグループ内で一人とし、管理ユーザのユーザ情報１１ａのみが、「管理ユーザ」を示す権限ｂ１を含むようにした。これ以外に、管理ユーザをグループ内で複数設定し、各管理ユーザに対応するユーザ情報１１ａの権限ｂ１を「管理ユーザ」にそれぞれ設定してもよい。
【図面の簡単な説明】
【００７４】
【図１】本実施形態のシステム概略図。
【図２】本実施形態の管理システムのグループ情報記憶部の説明図。
【図３】同管理システムのユーザ情報記憶部の説明図。
【図４】同管理システムの画像ファイル記憶部の説明図。
【図５】本実施形態の処理手順の説明図。
【図６】本実施形態の処理手順の説明図。
【図７】本実施形態の処理手順の説明図。
【図８】本実施形態の管理ユーザ端末に表示される画面の説明図。
【図９】本実施形態の一般ユーザ端末に表示される画面の説明図。
【符号の説明】
【００７５】
１…印刷物提供システムを構成する管理システム、２…第１の送信手段、受付手段、第２の送信手段、作成手段、及び命令送信手段としての管理コンピュータ、３ａ…ユーザ端末としての管理ユーザ端末、３ｂ…ユーザ端末としての一般ユーザ端末、５…印刷装置としてのプリンタ、１０…グループ情報記憶部、１０ａ…グループ情報、１１…ユーザ情報記憶部、１１ａ…ユーザ情報、１２…画像ファイル記憶部、ｃ２…画像ファイル、Ｎ…ネットワーク。
【図１】
2005216103.tif 000003
【図２】
2005216103.tif 000004
【図３】
2005216103.tif 000005
【図４】
2005216103.tif 000006
【図５】
2005216103.tif 000007
【図６】
2005216103.tif 000008
【図７】
2005216103.tif 000009
【図８】
2005216103.tif 000010
【図９】
2005216103.tif 000011